(57)【要約】【課題】支持部で支持される媒体が該支持部から浮いてしまうことを抑制する。【解決手段】媒体Ｍに印刷を行う印刷部４と、媒体Ｍを支持する支持部分１３と、媒体Ｍを支持部分１３に向かう吸引方向Ｄに吸引する吸引室１４と、が形成される支持部３と、を備え、吸引室１４は、吸引方向Ｄにおける支持部分１３よりも窪んだ位置に形成された底部２３を有し、底部２３は、吸引孔１５が設けられる第１底部１７と、吸引方向Ｄにおける第１底部１７よりも浅い位置に形成された第２底部１６と、を有する印刷装置１。【選択図】図２
2018176681.tif 000002
【特許請求の範囲】
【請求項１】
媒体に印刷を行う印刷部と、
前記媒体を支持する支持部分と、前記媒体を前記支持部分に向かう吸引方向に吸引する吸引室と、が形成される支持部と、を備え、
前記吸引室は、前記吸引方向における前記支持部分よりも窪んだ位置に形成された底部を有し、
前記底部は、吸引孔が設けられる第１底部と、前記吸引方向における前記第１底部よりも浅い位置に形成された第２底部と、を有することを特徴とする印刷装置。
【請求項２】
請求項１に記載の印刷装置において、
前記第１底部は、前記底部の中央部分に形成されていることを特徴とする印刷装置。
【請求項３】
請求項１又は２に記載の印刷装置において、
前記底部は、前記第１底部の周囲に前記第２底部が形成されていることを特徴とする印刷装置。
【請求項４】
請求項１から３のいずれか１項に記載の印刷装置において、
前記第１底部は、端部の少なくとも一部が円弧形状になっていることを特徴とする印刷装置。
【請求項５】
請求項１から４のいずれか１項に記載の印刷装置において、
前記第２底部は、前記第１底部に向かう方向に形成される溝部を有することを特徴とする印刷装置。
【請求項６】
請求項１から５のいずれか１項に記載の印刷装置において、
前記支持部に対して着脱可能に構成されており、前記支持部に装着されることで前記吸引孔を覆う蓋部を備えることを特徴とする印刷装置。
【請求項７】
請求項６に記載の印刷装置において、
前記蓋部は、前記吸引孔に対して着脱可能に構成されており、
前記蓋部が前記吸引孔に装着された場合に、前記蓋部と、前記第１底部と前記第２底部との境界となる境界部と、の間に空隙ができるように構成されていることを特徴とする印刷装置。
【請求項８】
請求項６又は７に記載の印刷装置において、
前記蓋部は、液体を受容可能な受容部を有していることを特徴とする印刷装置。
【発明の詳細な説明】
【技術分野】
【０００１】
本発明は、印刷装置に関する。
【背景技術】
【０００２】
従来から、様々な印刷装置が使用されている。このような印刷装置においては、媒体を支持部で支持させ、支持部で支持された状態の媒体に印刷を行う構成が一般的である。このような構成の印刷装置では、支持部で支持された状態の媒体が浮き上がると印刷部と干渉する場合が有るので、媒体の浮きを抑制する手段を備えるものがある。  
例えば、特許文献１には、シート（媒体）の支持部としてのプラテンにシートを吸引する吸引窪み（吸引室）が形成されたプリント装置（印刷装置）が開示されている。
【先行技術文献】
【特許文献】
【０００３】
【特許文献１】特開２０１５−１９９２０８号公報
【発明の概要】
【発明が解決しようとする課題】
【０００４】
しかしながら、特許文献１に開示される印刷装置においては、吸引室による吸引力が不十分な場合が有った。これは、吸引室が効果的に媒体を吸引させることが可能な構成になっていないことに起因する。具体的には、吸引窪み（吸引室）における吸引口から離れた部分（吸引窪みの側壁に近い部分）では、吸引力が低下する傾向にある。このため、特許文献１に開示されるような従来の印刷装置においては、媒体が支持部から浮いてしまう場合があった。
【０００５】
そこで、本発明は、支持部で支持される媒体が該支持部から浮いてしまうことを抑制することを目的にする。
【課題を解決するための手段】
【０００６】
上記課題を解決するための本発明の第１の態様の印刷装置は、媒体に印刷を行う印刷部と、前記媒体を支持する支持部分と、前記媒体を前記支持部分に向かう吸引方向に吸引する吸引室と、が形成される支持部と、を備え、前記吸引室は、前記吸引方向における前記支持部分よりも窪んだ位置に形成された底部を有し、前記底部は、吸引孔が設けられる第１底部と、前記吸引方向における前記第１底部よりも浅い位置に形成された第２底部と、を有することを特徴とする。
【０００７】
本態様によれば、吸引室の底部は、吸引孔が設けられる第１底部と、吸引方向における第１底部よりも浅い位置に形成された第２底部と、を有する。吸引方向において吸引室の底が浅い方が、支持部に支持された媒体と該底との距離が近くなり、効果的に媒体を吸引させることができる。このため、支持部で支持される媒体が該支持部から浮いてしまうことを効果的に抑制することができる。
【０００８】
本発明の第２の態様の印刷装置は、前記第１の態様において、前記第１底部は、前記底部の中央部分に形成されていることを特徴とする。
【０００９】
本態様によれば、第１底部は底部の中央部分に形成されているので、効率的に吸引室全体の吸引力を強くすることができる。
【００１０】
本発明の第３の態様の印刷装置は、前記第１又は第２の態様において、前記底部は、前記第１底部の周囲に前記第２底部が形成されていることを特徴とする。
【００１１】
本態様によれば、第１底部の周囲に第２底部が形成されているので、吸引力を強くし難い底部の縁に近い部分の吸引力を効果的に強くすることができ、支持部で支持される媒体が該支持部から浮いてしまうことを特に効果的に抑制することができる。
【００１２】
本発明の第４の態様の印刷装置は、前記第１から第３のいずれか１つの態様において、前記第１底部は、端部の少なくとも一部が円弧形状になっていることを特徴とする。
【００１３】
本態様によれば、第１底部は端部の少なくとも一部が円弧形状になっているので、効率的に吸引室全体の吸引力を強くすることができる。
【００１４】
本発明の第５の態様の印刷装置は、前記第１から第４のいずれか１つの態様において、前記第２底部は、前記第１底部に向かう方向に形成される溝部を有することを特徴とする。
【００１５】
本態様によれば、第２底部は第１底部に向かう方向に形成される溝部を有するので、第２底部から吸引孔に向けて効果的に空気の流れを作ることができ、特に吸引室における第２底部と対向する領域において吸引力を強くすることができる。
【００１６】
本発明の第６の態様の印刷装置は、前記第１から第５のいずれか１つの態様において、前記支持部に対して着脱可能に構成されており、前記支持部に装着されることで前記吸引孔を覆う蓋部を備えることを特徴とする。
【００１７】
本態様によれば、支持部に対して着脱可能な蓋部を備えるので、媒体で覆われていない吸引室などの吸引が不要な吸引室の吸引孔を蓋部で覆うことができ、吸引が必要な吸引室の吸引力を効果的に強くすることができる。
【００１８】
本発明の第７の態様の印刷装置は、前記第６の態様において、前記蓋部は、前記吸引孔に対して着脱可能に構成されており、前記蓋部が前記吸引孔に装着された場合に、前記蓋部と、前記第１底部と前記第２底部との境界となる境界部と、の間に空隙ができるように構成されていることを特徴とする。
【００１９】
本態様によれば、蓋部が吸引孔に装着された場合に、蓋部と境界部との間に空隙ができるように構成されているので、該空隙に指を入れることが可能になり、蓋部を簡単に着脱することができる。
【００２０】
本発明の第８の態様の印刷装置は、前記第６又は第７の態様において、前記蓋部は、液体を受容可能な受容部を有していることを特徴とする。
【００２１】
本態様によれば、蓋部は液体を受容可能な受容部を有しているので、例えば、印刷に使用するインクなどの液体が飛散した場合でも、該液体を受容して簡単に廃棄できる。
【図面の簡単な説明】
【００２２】
【図１】本発明の実施例１に係る印刷装置の概略側面図。
【図２】本発明の実施例１に係る印刷装置の要部の概略斜視図。
【図３】本発明の実施例１に係る印刷装置の要部の概略斜視断面図。
【図４】本発明の実施例１に係る印刷装置の要部の概略図。
【図５】本発明の実施例１に係る印刷装置の要部の概略正面断面図。
【図６】本発明の実施例１に係る印刷装置の要部の概略正面断面図。
【図７】本発明の実施例１に係る印刷装置の要部の概略正面断面図。
【図８】本発明の実施例２に係る印刷装置の要部の概略正面断面図。
【図９】本発明の実施例３に係る印刷装置の要部の概略平面図。
【図１０】本発明の実施例３に係る印刷装置の要部の概略正面断面図。
【図１１】本発明の実施例４に係る印刷装置の要部の概略平面図。
【発明を実施するための形態】
【００２３】
以下に、本発明の一実施例に係る印刷装置について、添付図面を参照して詳細に説明する。  
［実施例１］（図１〜図７）  
最初に、本発明の実施例１に係る印刷装置の概要について説明する。  
図１は、本実施例に係る印刷装置１の概略側面図である。
【００２４】
本実施例の印刷装置１は、印刷を行うためのロール状の媒体ＭのロールＲ１を支持する支持軸２を備えている。そして、本実施例の印刷装置１は、媒体Ｍを搬送方向Ａに搬送する際、支持軸２は回転方向Ｃに回転する。なお、本実施例では印刷面が外側になるように巻かれているロール式の媒体Ｍを使用しているが、印刷面が内側になるように巻かれているロール式の媒体Ｍを使用する場合は、支持軸２の回転方向Ｃとは逆回転してロールＲ１を送り出すことが可能である。  
また、本実施例の印刷装置１は媒体Ｍとしてロール式の媒体を使用しているが、このようなロール式の媒体を使用する印刷装置に限定されない。例えば、単票式の媒体を用いてもよい。
【００２５】
また、本実施例の印刷装置１は、媒体Ｍを支持する支持部３を備えている。支持部３は、支持面１２（図２及び図３参照）を有しており、媒体Ｍを支持面１２で支持するように構成されている。さらに、本実施例の印刷装置１は、媒体Ｍの支持部３などからなる媒体Ｍの搬送経路を備えている。また、印刷装置１は、搬送経路において該媒体Ｍを搬送方向Ａに搬送するための搬送ローラー対５を備えている。搬送ローラー対５は、駆動ローラー７と従動ローラー８とによって構成されている。  
本実施例の印刷装置１では、駆動ローラー７は搬送方向Ａと交差する走査方向Ｂに延びる１本のローラーで構成されており、従動ローラー８は駆動ローラー７と対向する位置において走査方向Ｂに複数並べて設けられている。  
また、本実施例の印刷装置１は媒体Ｍをインクジェットヘッドである印刷部４に対して搬送方向Ａに搬送させる搬送ローラー対５を有する印刷装置であるが、媒体Ｍと印刷部４とを相対移動させる機構を備えていればよく、媒体Ｍに対して印刷部４を移動させる所謂フラッドベッドタイプの印刷装置としてもよい。  
なお、本実施例の印刷装置１の要部である、支持部３における印刷部４と対向する領域Ｓについての詳細は後述する。
【００２６】
支持部３の下部には、支持部３に支持された媒体Ｍを加熱可能な不図示のヒーターが設けられている。このように、本実施例の印刷装置１は、支持部３側から媒体Ｍを加熱可能なヒーターを備えているが、支持部３と対向する位置に設けられる赤外線ヒーター等を備えていてもよい。
【００２７】
また、本実施例の印刷装置１は、筐体部１１の内部に、複数のノズルが設けられたノズル形成面の該ノズルからインクを吐出して画像を印刷するインクジェットヘッドとしての印刷部４と、該印刷部４を搭載して走査方向Ｂに往復移動可能なキャリッジ６と、を備えている。  
なお、本実施例の印刷装置１では、支持部３上の印刷部４（ノズル形成面）と対向する位置における搬送方向Ａは、水平方向である方向Ｙに沿う方向であり、印刷部４の走査方向Ｂは、水平方向であって方向Ｙと直交する方向Ｘに沿う方向であり、インクの吐出方向は、鉛直方向である方向Ｚに沿う方向（鉛直下方向）である。
【００２８】
ここで、上記のように、印刷部４は、搬送方向Ａと交差する走査方向Ｂに往復移動しながら、搬送される媒体Ｍに不図示のノズルからインクを吐出して画像を印刷することが可能な構成である。このような構成の印刷部４を備えていることにより、本実施例の印刷装置１は、所定量（１パス分）媒体Ｍを搬送方向Ａに搬送させることと、媒体Ｍを停止した状態で印刷部４を走査方向Ｂに移動させながらインクを吐出させることと、を繰り返すことで、媒体Ｍに所望の画像を形成可能である。  
なお、本実施例の印刷装置１は、媒体Ｍの搬送と印刷部４の走査とを交互に繰り返して印刷を行う所謂シリアルプリンターであるが、媒体Ｍの幅方向に沿ってライン状にノズルが形成されたラインヘッドを使用して、連続的に媒体Ｍを搬送しながら連続的に印刷を行う所謂ラインプリンターであってもよい。さらには、例えば、転写式プリンターなど、インクジェットプリンター以外の印刷装置であってもよい。
【００２９】
また、印刷部４の搬送方向Ａにおける下流側には、媒体ＭをロールＲ２として巻き取り可能な巻取軸１０が備えられている。なお、本実施例では印刷面が外側になるように媒体Ｍを巻き取るので、媒体Ｍを巻き取る際、巻取軸１０は回転方向Ｃに回転する。一方、印刷面が内側になるように巻き取る場合は、回転方向Ｃとは逆回転して巻き取ることが可能である。
【００３０】
また、支持部３における搬送方向Ａにおける下流側の端部と、巻取軸１０と、の間には、媒体Ｍとの接触部が走査方向Ｂに延設され、媒体Ｍに所望のテンションを付与することが可能なテンションバー９が設けられている。
【００３１】
次に、本実施例の印刷装置１の要部である、支持部３における印刷部４と対向する領域Ｓについて説明する。  
ここで、図２及び図３は、本実施例の印刷装置１の要部である、支持部３における印刷部４と対向する領域Ｓの概略斜視図である。このうち、図３は、図２のα−α断面で切断した状態における断面図を表している。
【００３２】
図２及び図３で表されるように、本実施例の支持部３における印刷部４と対向する領域Ｓには、吸引孔１５を有する吸引室１４が設けられている。吸引孔１５は不図示のポンプと繋がった負圧室１８（図３参照）と繋がっており、負圧室１８が該ポンプにより負圧とされることに伴い吸引室１４に媒体Ｍが吸引される。詳細には、吸引室１４の上側（底部２３とは反対側）をカバーするように媒体Ｍが位置すると、吸引室１４は密閉されて負圧になり、媒体Ｍは吸引室１４に吸引される。支持面１２には、吸引室１４の周囲にリブ１３が形成されており、吸引室１４（吸引孔１５）が媒体Ｍを吸引することにより媒体Ｍはリブ１３で支持される。
【００３３】
なお、図２及び図３で表されるように、吸引室１４の底部２３は、吸引孔１５が設けられる第１底部１７と、吸引方向Ｄ（本実施例では方向Ｚに沿う方向）における第１底部１７よりも浅い位置に形成された第２底部１６と、を有している。
【００３４】
上記のように本実施例の印刷装置１は、媒体Ｍに印刷を行う印刷部４を備えているが、さらに、図２及び図３で表されるように、媒体Ｍを支持する支持部分としてのリブ１３と、媒体Ｍをリブ１３に向かう吸引方向Ｄに吸引する吸引室１４と、が形成される支持部３と、を備えている。  
そして、図２及び図３で表されるように、吸引室１４は、吸引方向Ｄにおけるリブ１３よりも窪んだ位置に形成された底部２３を有している。また、該底部２３は、吸引孔１５が設けられる第１底部１７と、吸引方向Ｄにおける第１底部１７よりも浅い位置に形成された第２底部１６と、を有している。  
ここで、吸引方向Ｄにおいて吸引室１４の底が浅い方が、支持部３に支持された媒体Ｍと該底との距離が近くなり、吸引孔１５に向かう気流の流れを速くすることができる。速い気流の流れを作れば、該気流の流れに吸い寄せられる力が強くなり、効果的に媒体Ｍを吸引させることができる。そして、本実施例の印刷装置１は、吸引力が低下しやすい吸引孔１５から離れた部分（第２底部１６が形成されている部分）で媒体Ｍと該底との距離を近くしている。このため、本実施例の印刷装置１は、支持部３で支持される媒体Ｍが該支持部３から浮いてしまうことを効果的に抑制することができる構成になっている。  
さらに、このような構成とすることで、第２底部１６から第１底部１７に流れる気流の流速が第１底部１７に入ると同時に減速し、該気流と共に流れてきたインクミストが吸引室１４内に滞留し、インクミストが吸引孔１５から吸引されて負圧室１８やポンプなどを汚すことを抑制できる。
【００３５】
また、図２及び図３で表されるように、本実施例の印刷装置１においては、第１底部１７は、底部２３の中央部分に形成されている。このため、本実施例の印刷装置１は、効率的に吸引室１４全体の吸引力を強くすることができる構成になっている。  
なお、「底部２３の中央部分に形成されている」とは、底部２３の中央部分を含む位置に形成されていることを意味し、第１底部１７の中央部分が底部２３の中央部分からずれている場合も含む意味である。
【００３６】
また、図２及び図３で表されるように、本実施例の印刷装置１においては、底部２３は、第１底部１７の周囲に第２底部１６が形成されている。このため、本実施例の印刷装置１は、吸引力を強くし難い底部２３の縁に近い部分の吸引力を効果的に強くすることができる構成になっており、支持部３で支持される媒体Ｍが該支持部３から浮いてしまうことを特に効果的に抑制することができる構成になっている。
【００３７】
また、図２及び図３で表されるように、本実施例の印刷装置１においては、第１底部１７は、端部の少なくとも一部（本実施例においては搬送方向Ａに沿う方向における両端部）が円弧形状になっている。このため、本実施例の印刷装置１は、吸引孔１５に向かう気流の流れを効率的に吸引孔１５に向けることができ、効率的に吸引室１４全体の吸引力を強くすることができる構成になっている。
【００３８】
また、本実施例の印刷装置１は、各吸引孔１５を蓋部２２でふさぐことが可能になっている。別の表現をすると、印刷装置１は、支持部３に対して着脱可能に構成されており、支持部３に装着されることで吸引孔１５を覆う蓋部２２を備える。このため、例えば、幅の狭い媒体Ｍを使用する場合、媒体Ｍでカバーされない領域の吸引室１４（吸引が不要な吸引室１４）の吸引孔１５を蓋部２２でふさぎ、媒体Ｍでカバーされている領域の吸引室１４の吸引力が低下しないようにする（吸引が不要な吸引室１４から負圧室１８に空気が流れ込むことを抑制することで、吸引が必要な吸引室１４の吸引力の低下を抑制する）ことが可能な構成になっている。
【００３９】
また、蓋部２２はユーザーが指で把持して各吸引孔１５に対して着脱可能に構成されており、吸引室１４は、蓋部２２が吸引孔１５に装着された場合に、蓋部２２と、第１底部１７と第２底部１６との境界となる境界部２６と、の間に空隙２７ができるように構成されている。このため、本実施例の印刷装置１は、該空隙２７に指を入れることが可能になっており、蓋部２２を簡単に着脱することができる構成になっている。さらに、第１底部１７の端部である境界部２６が円弧形状になっていることで、特に該空隙２７に指を挿入しやすく（蓋部２２を把持しやすく）なっている。
【００４０】
次に、本実施例の印刷装置１で使用可能な上記の蓋部２２の構成について説明する。  
図４は、本実施例の印刷装置１の要部の構成部材の一つである蓋部２２の概略図である。  
図４で表されるように、本実施例の蓋部２２は、ユーザーが指で把持する把持部２２ａと、蓋部２２が吸引孔１５に装着された場合に第１底部１７に載置される載置部２２ｂと、蓋部２２が吸引孔１５に装着された場合に該吸引孔１５に挿入される挿入部２２ｃと、を備えている。ただし、本実施例の蓋部２２は、載置部２２ｂを基準にして図中の上下方向に対応する吸引方向Ｄにおいて対称形状をしている（なお、吸引方向Ｄと交差する方向においても対称）。このため、挿入部２２ｃを把持部２２ａとし、把持部２２ａを挿入部２２ｃとして扱う（つまり、ユーザーが指で挿入部２２ｃを把持し、把持部２２ａを吸引孔１５に挿入する）こともできる。
【００４１】
ただし、蓋部２２の構成はこのような構成に限定されない。  
以下に、本実施例の印刷装置１で使用可能であって、上記の蓋部２２とは形状の異なる蓋部２１について説明する。  
ここで、図５は、本実施例の印刷装置１の吸引孔１５に蓋部２１を装着した状態の吸引室１４を表す概略正面断面図である。
【００４２】
図５で表されるように、本実施例の蓋部２１は、把持部としての役割を兼ねる載置部２１ｂと、吸引孔１５に挿入される挿入部２１ｃと、を備えている。そして、蓋部２１の上面部２１ａは、リブ１３と高さ（支持面１２と交差する方向である吸引方向Ｄにおける位置）が揃えられている。このため、蓋部２１の上面部２１ａにおいても媒体Ｍを支持することができる。蓋部２１が吸引孔１５に装着されている吸引室１４は、基本的には媒体Ｍでカバーされない吸引室１４であるので、媒体Ｍを支持する状態にはならない。しかし、媒体Ｍによって部分的に覆われる吸引室１４（媒体Ｍで完全には覆われない吸引室１４）があった場合、この吸引室１４の吸引孔１５はふさぐことが好ましい。このとき、蓋部２１を用いることで、蓋部２１で吸引孔１５をふさぎつつ、蓋部２１で媒体Ｍを支持することができる構成となる。もし、媒体Ｍによって部分的に覆われる吸引室１４があった場合に、蓋部２１で媒体Ｍを支持しないと、媒体Ｍが吸引室１４に落ち込んで変形するおそれがある。したがって、蓋部２１を使用することで、媒体Ｍによって部分的に覆われる吸引室１４があった場合でも、媒体Ｍの変形を効果的に抑制することができる。
【００４３】
次に、本実施例の印刷装置１で使用可能であって、上記の蓋部２２及び蓋部２１とはさらに形状の異なる蓋部１９について説明する。  
ここで、図６は、本実施例の印刷装置１の吸引孔１５に蓋部１９を装着した状態の吸引室１４を表す概略正面断面図である。
【００４４】
本実施例の蓋部１９は、液体を受容可能な多孔質のスポンジで形成され、図６で表されるように、蓋部１９で吸引室１４が覆われている。蓋部１９が多孔質のスポンジで形成されているため、蓋部１９は吸引孔１５からの空気の流れを遮断しない構成となっている。なお、本実施例の蓋部１９は、吸引室１４の全体を覆うことが可能な大きさであるが、このような大きさに限定されず、例えば、第１底部１７にのみ配置される大きさであってもよい。また、蓋部１９の全体ではなく、一部がスポンジで形成される構成であってもよい。なお、本実施例の蓋部１９のように、蓋部が吸引孔１５からの空気の流れを遮断しない（底部２３側から反対側へ連通する）構成とすることで、液体の受容部としての蓋部がインクミストなどを効果的に受容することも可能になる。
【００４５】
次に、本実施例の印刷装置１で使用可能であって、上記の蓋部２２、蓋部２１及び蓋部１９とはさらに形状の異なる蓋部２０について説明する。  
ここで、図７は、本実施例の印刷装置１の吸引孔１５に蓋部２０を装着した状態の吸引室１４を表す概略正面断面図である。
【００４６】
本実施例の蓋部２０は、液体を受容可能な凹部を有する容器として形成され、図７で表されるように、蓋部２０で吸引室１４が覆われている。なお、本実施例の蓋部２０は、吸引室１４の全体を覆うことが可能な大きさであるが、このような大きさに限定されず、例えば、第１底部１７にのみ配置される大きさであってもよい。
【００４７】
蓋部１９及び蓋部２０のように、蓋部が液体を受容可能な受容部（スポンジ部分や凹部）を有する構成であれば、例えば、印刷に使用するインクなどの液体が飛散した場合でも、該液体を受容することができる。そして、蓋部を支持部３（具体的には吸引室１４）から取り外すことで、受容部で受容した液体を簡単に廃棄できる。また、媒体Ｍの幅方向（走査方向Ｂに対応）の端部に対応する位置の吸引室１４に受容部を配置することで、所謂縁なし印刷（媒体Ｍの幅方向の端部にも印刷を行うこと）の際のインクの受容部とすることもできる。  
なお、「受容部」とは、蓋部１９のように液体を吸収する構成のものや蓋部２０のように液体を溜める構成のものなど、液体を受容可能のものであればよい意味であり、受容部の構成に特に限定は無い。
【００４８】
次に、上記実施例１以外の実施例について説明する。  
［実施例２］（図８）  
図８は、実施例２の印刷装置１の要部である吸引室１１４を表す概略正面断面図であり、実施例１の印刷装置１における図５〜図７に対応する図である。  
なお、本実施例の印刷装置１は、吸引室１１４の構成以外は全て実施例１の印刷装置１と同様の構成である。
【００４９】
実施例１の印刷装置１の吸引室１４は、底部２３が２段（第１底部１７及び第２底部１６）で形成されていた。一方、図８で表されるように、本実施例の印刷装置１の吸引室１１４は、底部１２３が３段（第１底部２４、第２底部２８、第３底部２９）で形成されている。  
ただし、吸引室１１４の底部１２３が４段以上で形成されていてもよい。
【００５０】
［実施例３］（図９及び図１０）  
図９は、実施例３の印刷装置１の要部である吸引室２１４を表す概略平面図である。図１０は、実施例３の印刷装置１の要部である吸引室２１４を表す概略正面断面図であり、図９のβ−β断面で切断した状態における断面図を表している図である。  
なお、本実施例の印刷装置１は、吸引室２１４の構成以外は全て実施例１及び実施例２の印刷装置１と同様の構成である。
【００５１】
図９及び図１０で表されるように、本実施例の印刷装置１においては、吸引室２１４は底部２２３を有しており、底部２２３は、第１底部２１７及び第２底部２１６を有している。このとき、第２底部２１６に、第１底部２１７に向かう方向に形成される溝部２５が形成されている。このため、本実施例の印刷装置１は、第２底部２１６から吸引孔１５に向けて効果的に空気の流れを作る（溝部２５において特に速い気流の流れを作る）ことができる構成になっており、特に吸引室２１４における第２底部２１６と対向する領域において吸引力を強くすることができる構成になっている。  
なお、本実施例の印刷装置１では、第２底部２１６に溝部２５が形成され、溝部２５の最下部２５ｂが第１底部２１７の高さとほぼ同じになっている。このため、溝部２５の最上部２５ａ（すなわち第２底部１６との境界部分）を第２底部の一部、溝部２５の最下部２５ｂを第１底部の一部と考えることができる。一方、リブ１３の高さの位置に溝部２５を形成し、溝部２５の最下部２５ｂが第１底部２１７よりも高くなる構成としてもよい。このような構成の場合、溝部２５の最下部２５ｂを第２底部と考えることができる。すなわち、第１底部及び第２底部の一方を溝部だけで構成してもよく、溝部の形成される高さによって、該溝部の最下部が第１底部にも第２底部にもなり得る。
【００５２】
溝部２５の構成は、実施例３の印刷装置１の溝部２５のような構成に限定されない。以下に、実施例３の溝部２５とは異なる構成の溝部２５を有した印刷装置１について説明する。  
［実施例４］（図１１）  
図１１は、実施例４の印刷装置１の要部である吸引室３１４を表す概略平面図であり、実施例３の印刷装置１における図９に対応する図である。  
なお、本実施例の印刷装置１は、吸引室３１４の構成以外は全て実施例１〜実施例３の印刷装置１と同様の構成である。
【００５３】
図１１で表されるように、本実施例の印刷装置１においては、吸引室３１４は底部３２３を有しており、底部３２３は、第１底部３１７及び第２底部３１６を有している。このとき、第２底部３１６に、第１底部３１７に向かう方向に形成される溝部２５が、吸引孔１５を基準にして放射状に形成されている。このような構成とすることで、特に効果的に第２底部３１６から吸引孔１５に向けて空気の流れを作ることができる。
【００５４】
なお、本発明は上記実施例に限定されることなく、特許請求の範囲に記載した発明の範囲内で種々の変形が可能であり、それらも本発明の範囲内に含まれることは言うまでもない。  
例えば、蓋部の紛失を抑制するため、蓋部を印刷装置１の構成要素に紐などで固定している構成などとしてもよい。
【符号の説明】
【００５５】
１…印刷装置、２…支持軸、３…支持部、４…印刷部、５…搬送ローラー対、
６…キャリッジ、７…駆動ローラー、８…従動ローラー、９…テンションバー、
１０…巻取軸、１１…筐体部、１２…支持面、１３…リブ（支持部分）、１４…吸引室、
１５…吸引孔、１６…第２底部、１７…第１底部、１８…負圧室、１９…蓋部、
２０…蓋部、２１…蓋部、２１ａ…上面部、２１ｂ…載置部、２１ｃ…挿入部、
２２…蓋部、２２ａ…把持部、２２ｂ…載置部、２２ｃ…挿入部、２３…底部、
２４…第１底部、２５…溝部、２５ａ…溝部２５の最上部、
２５ｂ…溝部２５の最下部、２６…境界部、２７…空隙、２８…第２底部、
２９…第３底部、Ｍ…媒体、１１４…吸引室、１２３…底部、２１４…吸引室、
２１６…第２底部、２１７…第１底部、２２３…底部、３１４…吸引室、
３１６…第２底部、３１７…第１底部、３２３…底部、Ｒ１…媒体Ｍのロール、
Ｒ２…媒体Ｍのロール、Ｓ…支持部３における印刷部４と対向する領域
【図１】
2018176681.tif 000003
【図２】
2018176681.tif 000004
【図３】
2018176681.tif 000005
【図４】
2018176681.tif 000006
【図５】
2018176681.tif 000007
【図６】
2018176681.tif 000008
【図７】
2018176681.tif 000009
【図８】
2018176681.tif 000010
【図９】
2018176681.tif 000011
【図１０】
2018176681.tif 000012
【図１１】
2018176681.tif 000013